(57)【特許請求の範囲】
【請求項１】
第１の内部アンテナのインピーダンス整合を図る第１の整合回路と、第２の内部アンテナのインピーダンス整合を図る第２の整合回路と、可変リアクタンス素子を用いて構成され、上記第１の内部アンテナを終端する第１の終端素子と、可変リアクタンス素子を用いて構成され、上記第２の内部アンテナを終端する第２の終端素子と、上記第１の整合回路をＲＦコネクタに接続する場合には、上記第２の整合回路を上記第２の終端素子に接続し、上記第２の整合回路を上記ＲＦコネクタに接続する場合には、上記第１の整合回路を上記第１の終端素子に接続するアンテナ切換手段と、上記アンテナ切換手段が上記第１又は第２の整合回路を上記ＲＦコネクタに接続すると、そのＲＦコネクタから上記第１又は第２の内部アンテナの電界レベルを測定して、基準アンテナに対する上記第１又は第２の内部アンテナの結合度を観測し、その結合度に応じて上記第２又は第１の終端素子の可変リアクタンス素子を調整する調整手段とを備えた無線機。
【請求項２】
バリキャップダイオードを用いて、第１及び第２の終端素子の可変リアクタンス素子を構成することを特徴とする請求項１記載の無線機。
【請求項３】
アンテナ切換手段が第１の整合回路をＲＦコネクタに接続すると、そのＲＦコネクタから第１の内部アンテナの電界レベルを測定して、基準アンテナに対する上記第１の内部アンテナの結合度を観測し、第２の整合回路を上記ＲＦコネクタに接続すると、そのＲＦコネクタから第２の内部アンテナの電界レベルを測定して、上記基準アンテナに対する上記第２の内部アンテナの結合度を観測するネットワークアナライザと、上記アンテナ切換手段が上記第１の整合回路を上記ＲＦコネクタに接続すると、第２の終端素子のバリキャップダイオードを制御して、上記ネットワークアナライザにより観測された結合度を最小にする一方、上記第２の整合回路を上記ＲＦコネクタに接続すると、第１の終端素子のバリキャップダイオードを制御して、上記ネットワークアナライザにより観測された結合度を最小にする制御部とから調整手段を構成することを特徴とする請求項２記載の無線機。
【請求項４】
アンテナ切換手段の内部に第１及び第２の終端素子を搭載することを特徴とする請求項１記載の無線機。
【請求項５】
可変リアクタンス素子を用いて第１及び第２の整合回路を構成し、調整手段はアンテナ切換手段が上記第１の整合回路をＲＦコネクタに接続すると、そのＲＦコネクタから第１の内部アンテナの共振周波数を観測し、その共振周波数に応じて上記第１の整合回路の可変リアクタンス素子を調整する一方、上記第２の整合回路を上記ＲＦコネクタに接続すると、そのＲＦコネクタから第２の内部アンテナの共振周波数を観測し、その共振周波数に応じて上記第２の整合回路の可変リアクタンス素子を調整することを特徴とする請求項１から請求項４のうちのいずれか１項記載の無線機。
【発明の詳細な説明】
【０００１】
【発明の属する技術分野】
この発明は、安価で、かつ、高品質なアンテナ性能を有する無線機に関するものである。
【０００２】
【従来の技術】
図４は従来の無線機を示す構成図であり、図において、１はアンテナ素子、２はアンテナ素子１のインピーダンス整合を図る整合回路、３はチップコンデンサ、４はチップインダクタ、５は受信専用のアンテナ素子、６はアンテナ素子５のインピーダンス整合を図る整合回路であり、整合回路２と同様にチップコンデンサ３とチップインダクタ４から構成されている。
７はアンテナ素子１を終端する終端素子、８はアンテナ素子５を終端する終端素子、９が外部アンテナを接続するＲＦコネクタである。
【０００３】
１０は無線機の受信部、１１は無線機の送信部、１２はアンテナ素子１を使用する場合には、整合回路２を受信部１０及び送信部１１に接続して、整合回路６を終端素子８に接続し、アンテナ素子５を使用する場合には、整合回路６を受信部１０に接続して、整合回路２を終端素子７に接続するアンテナ切換スイッチ、１３〜２０はアンテナ切換スイッチ１２を構成する内部スイッチ、２１はアンテナ切換スイッチ１２を制御して、使用するアンテナ素子を切り換える制御回路である。
【０００４】
次に動作について説明する。
無線機がアンテナ素子を切り換えて使用するダイバーシチ方式を採用する場合、図４に示すように、制御回路２１がアンテナ切換スイッチ１２を制御して、アンテナ素子１の整合回路２又はアンテナ素子５の整合回路６を受信部１０に接続する。
【０００５】
この際、整合回路２，６を構成するチップコンデンサ３やチップインダクタ４の値にばらつきがあったり、アンテナ素子１，５のインピーダンスにばらつきがあったりすると、無線機のアンテナ性能に若干のばらつきが生じる。
従来は、上記のようなアンテナ性能のばらつきを抑えるため、チップコンデンサ３やチップインダクタ４の整合素子には、高価な狭偏差品を使用し、アンテナ素子１，５のインピーダンスには、厳格な規格を適用するようにしている。同時に無線機の筐体やシールド等の機構部材には、寸法交差が抑えられた物を使用するようにしている。
【０００６】
【発明が解決しようとする課題】
従来の無線機は以上のように構成されているので、アンテナ素子１，５のインピーダンスに厳格な規格を適用するとともに、チップコンデンサ３やチップインダクタ４の整合素子に狭偏差品を使用して、寸法交差が抑制された機構部材を使用すれば、高品質なアンテナ性能が得られるが、狭偏差品等を使用すると、無線機の価格が高価になる課題があった。
また、ダイバーシチアンテナ間干渉を抑制するため、終端素子７，８が設けられているが、終端素子７，８が固定のリアクタンス素子で構成されているため、図示せぬ基準アンテナに対するアンテナ素子１，５の結合度を調整することができず、最適なアンテナ性能を引き出すことができない課題があった。
【０００７】
なお、バリキャップダイオードを用いて整合回路を構成することにより、アンテナ整合を調整する技術が特開平７−７３５７号公報及び特開平８−２８８８６５号公報に開示されている。
しかし、前者は方向結合器を用いてインピーダンス不整合により発生する反射波を検出して、バリキャップダイオードに印加する電圧を制御するものである。一方、後者はＰＬＬの出力電圧を分岐し、レベル変換器を通じてバリキャップダイオードに印加する電圧を制御するものである。
両者の考え方では、少なくとも方向結合器やレベル変換器が必要になる分、部品点数が増加するとともに、制御が複雑になり、現実には使用されていない。
【０００８】
この発明は上記のような課題を解決するためになされたもので、部品点数の増加や制御の複雑化を招くことなく、安価で、かつ、高品質なアンテナ性能を有する無線機を得ることを目的とする。
【００１２】
【課題を解決するための手段】
この発明に係る無線機は、アンテナ切換手段が第１又は第２の整合回路をＲＦコネクタに接続すると、そのＲＦコネクタから第１又は第２の内部アンテナの電界レベルを測定して、基準アンテナに対する第１又は第２の内部アンテナの結合度を観測し、その結合度に応じて第２又は第１の終端素子の可変リアクタンス素子を調整するようにしたものである。
【００１３】
この発明に係る無線機は、バリキャップダイオードを用いて、第１及び第２の終端素子の可変リアクタンス素子を構成するようにしたものである。
【００１４】
この発明に係る無線機は、アンテナ切換手段が第１の整合回路をＲＦコネクタに接続すると、そのＲＦコネクタから第１の内部アンテナの電界レベルを測定して、基準アンテナに対する第１の内部アンテナの結合度を観測し、第２の整合回路をＲＦコネクタに接続すると、そのＲＦコネクタから第２の内部アンテナの電界レベルを測定して、基準アンテナに対する第２の内部アンテナの結合度を観測するネットワークアナライザと、そのアンテナ切換手段が第１の整合回路をＲＦコネクタに接続すると、第２の終端素子のバリキャップダイオードを制御して、そのネットワークアナライザにより観測された結合度を最小にする一方、第２の整合回路をＲＦコネクタに接続すると、第１の終端素子のバリキャップダイオードを制御して、そのネットワークアナライザにより観測された結合度を最小にする制御部とから調整手段を構成するようにしたものである。
【００１５】
この発明に係る無線機は、アンテナ切換手段の内部に第１及び第２の終端素子を搭載するようにしたものである。
【００１６】
この発明に係る無線機は、アンテナ切換手段が第１の整合回路をＲＦコネクタに接続すると、そのＲＦコネクタから第１の内部アンテナの共振周波数を観測し、その共振周波数に応じて第１の整合回路の可変リアクタンス素子を調整する一方、第２の整合回路をＲＦコネクタに接続すると、そのＲＦコネクタから第２の内部アンテナの共振周波数を観測し、その共振周波数に応じて第２の整合回路の可変リアクタンス素子を調整するようにしたものである。
【００１７】
【発明の実施の形態】
以下、この発明の実施の一形態を説明する。
実施の形態１．
図１はこの発明の実施の形態１による無線機を示す構成図であり、図において、３１は無線機のアンテナ素子（内部アンテナ）、３２はアンテナ素子３１のインピーダンス整合を図る整合回路、３３は安価な可変リアクタンス素子であるバリキャップダイオード、３４は高調波を除去するチョークコイル、３５はパスコン、３６はコンデンサ、３７はチップインダクタ、３８は例えば車載の外部アンテナを接続するＲＦコネクタ、３９は整合回路３２をＲＦコネクタ３８に接続するパスを有するアンテナ切換スイッチ（アンテナ切換手段）である。
【００１８】
４０は無線機の受信部、４１は無線機の送信部、４２はアンテナ切換スイッチ３９が整合回路３２をＲＦコネクタ３８に接続すると、そのＲＦコネクタ３８からアンテナ素子３１の電圧定在波比ＶＳＷＲを観測するネットワークアナライザ、４３はネットワークアナライザ４２により観測された電圧定在波比ＶＳＷＲの最小周波数（以下、共振周波数ｆｔという）を予め設定された設計値ｆ０と比較し、両者が相違する場合には共振周波数ｆｔを設計値ｆ０に一致させるため、両者の偏差分に対応する制御信号を出力する制御部であるパソコン、４４はパソコン４３から出力された制御信号に対応する調整信号を整合回路３２に出力して、バリキャップダイオード３３を調整する制御部である制御回路である。
なお、ネットワークアナライザ４２，パソコン４３及び制御回路４４から調整手段が構成されている。
【００１９】
次に動作について説明する。
無線機が出荷されると、制御回路４４の指示の下、アンテナ切換スイッチ３９がアンテナ素子３１又は外部アンテナを受信部４０及び送信部４１に接続することにより、無線通信を実施する。
【００２０】
しかし、この実施の形態１における無線機は、高品質なアンテナ性能を得るため、無線機を出荷する前に整合回路３２のバリキャップダイオード３３を調整することにより、アンテナ素子３１のインピーダンス整合を最適化するようにしている。
具体的には、まず、パソコン４３から指示を受けた制御回路４４がアンテナ切換スイッチ３９を制御して、整合回路３２をＲＦコネクタ３８に接続する。
【００２１】
ネットワークアナライザ４２は、アンテナ切換スイッチ３９が整合回路３２をＲＦコネクタ３８に接続すると、そのＲＦコネクタ３８からアンテナ素子３１の電圧定在波比ＶＳＷＲを観測する。
パソコン４３は、ネットワークアナライザ４２からアンテナ素子３１の電圧定在波比ＶＳＷＲを受けると、電圧定在波比ＶＳＷＲの最小周波数である共振周波数ｆｔと設計値ｆ０を比較する。
【００２２】
そして、パソコン４３は、共振周波数ｆｔと設計値ｆ０が一致する場合には、アンテナ素子３１のインピーダンス整合が最適に保たれているので、整合回路３２のバリキャップダイオード３３を特に調整することはないが、共振周波数ｆｔと設計値ｆ０が一致しない場合には、アンテナ素子３１のインピーダンス整合を最適化するため、整合回路３２のバリキャップダイオード３３を調整する。
即ち、共振周波数ｆｔを設計値ｆ０に一致させるため、両者の偏差分に対応する制御信号を制御回路２２に出力する。
【００２３】
これにより、制御回路４４は、ディジタル信号である制御信号をＤ／Ａ変換して、その制御信号に対応するアナログの調整信号を整合回路３２に出力する。
パソコン４３は、共振周波数ｆｔと設計値ｆ０が一致するまで、バリキャップダイオード３３の調整を繰り返し、両者が一致すると、その時の調整信号の値をイニシャル値として制御回路４４に記憶させる。
制御回路４４は、無線機が出荷させると、バリキャップダイオード３３の容量を当該イニシャル値に応じた値に固定する。
【００２４】
以上で明らかなように、この実施の形態１によれば、アンテナ切換スイッチ３９が整合回路３２をＲＦコネクタ３８に接続すると、そのＲＦコネクタ３８からアンテナ素子３１の電圧定在波比ＶＳＷＲを観測し、その電圧定在波比ＶＳＷＲの最小周波数である共振周波数ｆｔに応じて整合回路３２のバリキャップダイオード３３を調整するように構成したので、部品点数の増加や制御の複雑化を招くことなく、安価で、かつ、高品質なアンテナ性能を有する無線機を得ることができる効果を奏する。
【００２５】
実施の形態２．
図２はこの発明の実施の形態２による無線機を示す構成図であり、図において、５１は無線機のアンテナ素子（第１の内部アンテナ）、５２はアンテナ素子５１のインピーダンス整合を図る整合回路（第１の整合回路）、５３はアンテナ素子５１を終端するバリキャップダイオード（第１の終端素子）、５４は高調波を除去するチョークコイル、５５はパスコン、５６は無線機のアンテナ素子（第２の内部アンテナ）、５７はアンテナ素子５６のインピーダンス整合を図る整合回路（第２の整合回路）、５８はアンテナ素子５６を終端するバリキャップダイオード（第２の終端素子）、５９は高調波を除去するチョークコイル、６０はパスコンである。
【００２６】
６１はＲＦコネクタ、６２は整合回路５２をＲＦコネクタ６１に接続する場合には、整合回路５７を終端素子であるバリキャップダイオード５８に接続し、整合回路５７をＲＦコネクタ６１に接続する場合には、整合回路５２を終端素子であるバリキャップダイオード５３に接続するアンテナ切換スイッチ（アンテナ切換手段）、６３〜７１はアンテナ切換スイッチ６２を構成する内部スイッチ、７２は基準ダイポールアンテナ（基準アンテナ）である。
【００２７】
７３は無線機の受信部、７４は無線機の送信部、７５は切換スイッチ、７６はアンテナ切換スイッチ６２が整合回路５２をＲＦコネクタ６１に接続すると、そのＲＦコネクタ６１からアンテナ素子５１の電界レベルを測定して、基準ダイポールアンテナ７２に対するアンテナ素子５１の結合度を観測し、整合回路５７をＲＦコネクタ６１に接続すると、そのＲＦコネクタ６１からアンテナ素子５６の電界レベルを測定して、基準ダイポールアンテナ７２に対するアンテナ素子５６の結合度を観測するネットワークアナライザである。
【００２８】
７７はアンテナ切換スイッチ６２が整合回路５２をＲＦコネクタ６１に接続すると、終端素子であるバリキャップダイオード５８を制御して、ネットワークアナライザ７６により観測された結合度を最小にする一方、整合回路５７をＲＦコネクタ６１に接続すると、終端素子であるバリキャップダイオード５３を制御して、ネットワークアナライザ７６により観測された結合度を最小にする制御部であるパソコン、７８はパソコン７７から出力された制御信号に対応する調整信号を出力して、バリキャップダイオード５８，５３を調整する制御部である制御回路、７９は電波暗箱である。
なお、ネットワークアナライザ７６，パソコン７７及び制御回路７８から調整手段が構成されている。
【００２９】
次に動作について説明する。
無線機が出荷されると、制御回路７８の指示の下、アンテナ切換スイッチ６２がアンテナ素子５１又はアンテナ素子５６を受信部７３及び送信部７４に接続することにより、無線通信を実施する。
【００３０】
しかし、この実施の形態２における無線機は、ダイバーシチアンテナ間干渉を抑制するため、無線機を出荷する前に終端素子であるバリキャップダイオード５３，５８を調整する。
具体的には、まず、パソコン７７から指示を受けた制御回路７８がアンテナ切換スイッチ６２を制御して、整合回路５２をＲＦコネクタ６１に接続するとともに、整合回路５７を終端素子であるバリキャップダイオード５８に接続する。
即ち、内部スイッチ６４，６６，６９，７１をオンし、内部スイッチ６３，６５，６７，６８，７０をオフする。
その際、切換スイッチ７５も制御して、整合回路５２をネットワークアナライザ７６に接続する。
【００３１】
ネットワークアナライザ７６は、ＲＦコネクタ６１を通じて、アンテナ素子５１の電界レベルを測定して、基準ダイポールアンテナ７２に対するアンテナ素子５１の結合度を観測する。
パソコン７７は、ネットワークアナライザ７６から基準ダイポールアンテナ７２に対するアンテナ素子５１の結合度を受けると、アンテナ素子５６の影響を極小にして、基準ダイポールアンテナ７２に対するアンテナ素子５１の結合度を最小化するため、終端素子であるバリキャップダイオード５８を調整する制御信号を制御回路７８に出力する。
【００３２】
これにより、制御回路７８は、ディジタル信号である制御信号をＤ／Ａ変換して、その制御信号に対応するアナログの調整信号をバリキャップダイオード５８に出力する。
パソコン７７は、基準ダイポールアンテナ７２に対するアンテナ素子５１の結合度が最小化するまで、バリキャップダイオード５８の調整を繰り返し、その結合度が最小化すると、その時の調整信号の値をイニシャル値として制御回路７８に記憶させる。
制御回路７８は、無線機が出荷されると、バリキャップダイオード５８の容量を当該イニシャル値に応じた値に固定する。
【００３３】
バリキャップダイオード５８の調整が完了すると、今度は、パソコン７７から指示を受けた制御回路７８がアンテナ切換スイッチ６２を制御して、整合回路５７をＲＦコネクタ６１に接続するとともに、整合回路５２を終端素子であるバリキャップダイオード５３に接続する。
即ち、内部スイッチ６３，６６，６９，７０をオンし、内部スイッチ６４，６５，６７，６８，７１をオフする。
その際、切換スイッチ７５も制御して、整合回路５７をネットワークアナライザ７６に接続する。
【００３４】
ネットワークアナライザ７６は、ＲＦコネクタ６１を通じて、アンテナ素子５６の電界レベルを測定して、基準ダイポールアンテナ７２に対するアンテナ素子５６の結合度を観測する。
パソコン７７は、ネットワークアナライザ７６から基準ダイポールアンテナ７２に対するアンテナ素子５６の結合度を受けると、アンテナ素子５１の影響を極小にして、基準ダイポールアンテナ７２に対するアンテナ素子５６の結合度を最小化するため、終端素子であるバリキャップダイオード５３を調整する制御信号を制御回路７８に出力する。
【００３５】
これにより、制御回路７８は、ディジタル信号である制御信号をＤ／Ａ変換して、その制御信号に対応するアナログの調整信号をバリキャップダイオード５３に出力する。
パソコン７７は、基準ダイポールアンテナ７２に対するアンテナ素子５６の結合度が最小化するまで、バリキャップダイオード５３の調整を繰り返し、その結合度が最小化すると、その時の調整信号の値をイニシャル値として制御回路７８に記憶させる。
制御回路７８は、無線機が出荷させると、バリキャップダイオード５３の容量を当該イニシャル値に応じた値に固定する。
【００３６】
以上で明らかなように、この実施の形態２によれば、アンテナ切換スイッチ６２が整合回路５２又は５７をＲＦコネクタ６１に接続すると、そのＲＦコネクタ６１からアンテナ素子５１又は５６の電界レベルを測定して、基準ダイポールアンテナ７２に対するアンテナ素子５１又は５６の結合度を観測し、その結合度に応じてバリキャップダイオード５８又は５３を調整するように構成したので、部品点数の増加や制御の複雑化を招くことなく、安価で、かつ、高品質なアンテナ性能を有する無線機を得ることができる効果を奏する。
【００３７】
実施の形態３．
上記実施の形態２では、終端素子であるバリキャップダイオード５３，５８をアンテナ切換スイッチ６２の外部に設けるものについて示したが、そのバリキャップダイオード５３，５８をアンテナ切換スイッチ６２の内部に搭載するようにしてもよい。
これにより、バリキャップダイオード５３，５８を内部スイッチ６３〜７１と一緒にパターン化してプリントすることができるため、バリキャップダイオード５３，５８をアンテナ切換スイッチ６２の外部に設ける場合より、無線機全体の大きさを小型にすることができる効果を奏する。
【００３８】
実施の形態４．
上記実施の形態１では、アンテナ素子３１のインピーダンス整合を最適化するものについて示し、上記実施の形態２，３では、ダイバーシチアンテナ間干渉を抑制するものについて示したが、ダイバーシチアンテナ間干渉を抑制し、かつ、ダイバーシチアンテナを構成するアンテナ素子５１，５６のインピーダンス整合を最適化できるようにしてもよい。
【００３９】
具体的には、図３に示すように、図２の整合回路５２，５７の代わりに、図１の整合回路３２を使用する。
そして、アンテナ素子５１のインピーダンス整合を最適化する場合には、アンテナ切換スイッチ６２がアンテナ素子５１の整合回路３２をＲＦコネクタ６１に接続して、アンテナ素子５６の整合回路３２を終端素子であるバリキャップダイオード５８に接続する。
【００４０】
このようにして、アンテナ素子５１の整合回路３２がＲＦコネクタ６１を通じてネットワークアナライザ７６に接続されると、パソコン７７が上記実施の形態１と同様に、ネットワークアナライザ７６により観測されたアンテナ素子５１の電圧定在波比ＶＳＷＲの最小周波数である共振周波数ｆｔに応じて、アンテナ素子５１の整合回路３２のバリキャップダイオード３３を調整する。
【００４１】
一方、アンテナ素子５６のインピーダンス整合を最適化する場合には、アンテナ切換スイッチ６２がアンテナ素子５６の整合回路３２をＲＦコネクタ６１に接続して、アンテナ素子５１の整合回路３２を終端素子であるバリキャップダイオード５３に接続する。
このようにして、アンテナ素子５６の整合回路３２がＲＦコネクタ６１を通じてネットワークアナライザ７６に接続されると、パソコン７７が上記実施の形態１と同様に、ネットワークアナライザ７６により観測されたアンテナ素子５６の電圧定在波比ＶＳＷＲの最小周波数である共振周波数ｆｔに応じて、アンテナ素子５６の整合回路３２のバリキャップダイオード３３を調整する。
【００４５】
【発明の効果】
この発明によれば、アンテナ切換手段が第１又は第２の整合回路をＲＦコネクタに接続すると、そのＲＦコネクタから第１又は第２の内部アンテナの電界レベルを測定して、基準アンテナに対する第１又は第２の内部アンテナの結合度を観測し、その結合度に応じて第２又は第１の終端素子の可変リアクタンス素子を調整するように構成したので、部品点数の増加や制御の複雑化を招くことなく、安価で、かつ、高品質なアンテナ性能を有する無線機を得ることができる効果がある。
【００４６】
この発明によれば、バリキャップダイオードを用いて、第１及び第２の終端素子の可変リアクタンス素子を構成したので、安価な終端素子を構築することができる効果がある。
【００４７】
この発明によれば、アンテナ切換手段が第１の整合回路をＲＦコネクタに接続すると、そのＲＦコネクタから第１の内部アンテナの電界レベルを測定して、基準アンテナに対する第１の内部アンテナの結合度を観測し、第２の整合回路をＲＦコネクタに接続すると、そのＲＦコネクタから第２の内部アンテナの電界レベルを測定して、基準アンテナに対する第２の内部アンテナの結合度を観測するネットワークアナライザと、そのアンテナ切換手段が第１の整合回路をＲＦコネクタに接続すると、第２の終端素子のバリキャップダイオードを制御して、そのネットワークアナライザにより観測された結合度を最小にする一方、第２の整合回路をＲＦコネクタに接続すると、第１の終端素子のバリキャップダイオードを制御して、そのネットワークアナライザにより観測された結合度を最小にする制御部とから調整手段を構成したので、複雑な制御を実施することなく、ダイバーシチアンテナ間干渉を抑制することができる効果がある。
【００４８】
この発明によれば、アンテナ切換手段の内部に第１及び第２の終端素子を搭載するように構成したので、無線機の小型化を図ることができる効果がある。
【００４９】
この発明によれば、アンテナ切換手段が第１の整合回路をＲＦコネクタに接続すると、そのＲＦコネクタから第１の内部アンテナの共振周波数を観測し、その共振周波数に応じて第１の整合回路の可変リアクタンス素子を調整する一方、第２の整合回路をＲＦコネクタに接続すると、そのＲＦコネクタから第２の内部アンテナの共振周波数を観測し、その共振周波数に応じて第２の整合回路の可変リアクタンス素子を調整するように構成したので、ダイバーシチアンテナを構成する内部アンテナのインピーダンス整合を最適化することができるとともに、ダイバーシチアンテナ間干渉を抑制することができる効果がある。
【図面の簡単な説明】
【図１】この発明の実施の形態１による無線機を示す構成図である。
【図２】この発明の実施の形態２による無線機を示す構成図である。
【図３】この発明の実施の形態４による無線機を示す構成図である。
【図４】従来の無線機を示す構成図である。
【符号の説明】
３１  アンテナ素子（内部アンテナ）、３２  整合回路、３３  バリキャップダイオード（可変リアクタンス素子）、３４  チョークコイル、３５  パスコン、３６  コンデンサ、３７  チップインダクタ、３８  ＲＦコネクタ、３９  アンテナ切換スイッチ（アンテナ切換手段）、４０  受信部、４１  送信部、４２ネットワークアナライザ（調整手段）、４３  パソコン（調整手段）、４４  制御回路（調整手段）、５１  アンテナ素子（第１の内部アンテナ）、５２  整合回路（第１の整合回路）、５３  バリキャップダイオード（第１の終端素子）、５４  チョークコイル、５５  パスコン、５６  アンテナ素子（第２の内部アンテナ）、５７  整合回路（第２の整合回路）、５８  バリキャップダイオード（第２の終端素子）、５９  チョークコイル、６０  パスコン、６１  ＲＦコネクタ、６２  アンテナ切換スイッチ（アンテナ切換手段）、６３〜７１  内部スイッチ、７２  基準ダイポールアンテナ（基準アンテナ）、７３  受信部、７４送信部、７５  切換スイッチ、７６  ネットワークアナライザ（調整手段）、７７  パソコン（調整手段）、７８  制御回路（調整手段）、７９  電波暗箱。
【図１】
0003628562.tif 000002
【図２】
0003628562.tif 000003
【図３】
0003628562.tif 000004
【図４】
0003628562.tif 000005